(57)【要約】【課題】実行される検査に不要な光学素子を通して視標を見ることによる被検者の混乱を招くことなく被検眼の視機能を正確に測定することができる自覚式検眼装置を提供する。【解決手段】視標呈示装置１４により呈示された視標１１を見る被検眼１３の視軸上に配置された各レンズ３２を通しての被検眼１３による視標１１の視認を妨げるための視線遮断手段を設け、該視線遮断手段の作動を制御するＣＰＵ４６は、少なくとも前記視軸上に既に配置されたレンズ３２ａが前記視軸上から移動し始める時点から新たなレンズ３２ｂが前記視軸上に配置される時点までの間に視線遮断手段を作動させる。【選択図】図４
2008036002.tif 000002
【特許請求の範囲】
【請求項１】
各種の視標を被検眼に呈示する視標呈示装置と、該視標呈示装置により呈示された前記視標を見る前記被検眼の視軸上に各種の光学素子をそれぞれ選択的に配置する光学素子配置装置と、前記各光学素子を通しての前記被検眼による前記視標の視認を妨げるための視線遮断手段と、該視線遮断手段の作動を制御する制御手段とを備え、前記各光学素子を通して前記視標を見る被検者の自覚的な判断に基づいて該被検者の前記被検眼の視機能を検査するための自覚式検眼装置であって、前記制御手段は、前記光学素子配置装置が前記各光学素子を前記視軸上に配置する動作の開始からその終了までの間に前記視線遮断手段を作動させることを特徴とする自覚式検眼装置。
【請求項２】
前記各光学素子は、それぞれ前記光学素子配置装置に回転可能に設けられた回転盤にその回転方向に互いに間隔をおいて設けられ、前記回転盤の回転により前記視軸上に選択的に配置され、前記制御手段は、前記視軸上に既に配置された前記光学素子に代えて新たに前記視軸上に配置される前記光学素子が前記光学素子配置装置により選択されたとき、既に配置された前記光学素子と新たな前記光学素子との間で前記回転盤に配置された前記光学素子の個数を計測し、計測した個数に基づいて前記視線遮断手段を作動させるか否かを判断することを特徴とする請求項１に記載の自覚式検眼装置。
【請求項３】
前記制御手段は、前記視軸上に既に配置された前記光学素子と該光学素子に代えて新たに前記視軸上に配置される前記光学素子との間に少なくとも一つの前記光学素子が配置されている場合に、前記視線遮断手段を作動させることを特徴とする請求項２に記載の自覚式検眼装置。
【請求項４】
前記制御手段は、新たな前記光学素子を前記視軸上に配置するために前記回転盤が回転すべき回転角度と該回転盤の回転速度とを検出し、検出した回転角度及び回転速度に基づいて前記視線遮断手段の作動時間を算出することを特徴とする請求項２又は３に記載の自覚式検眼装置。
【請求項５】
前記視線遮断手段は、前記回転盤と同軸上に設けられ前記制御手段の制御下で回転する回転体と、該回転体に設けられ、該回転体の回転により前記視軸上に配置される遮断部材とを備え、前記制御手段は、前記視軸上に既に配置された前記光学素子にその前記回転盤の回転方向側と反対方向側で隣り合った前記光学素子が前記回転盤の回転により前記視軸上に配置される前又は配置されると同時に前記遮断部材が前記視軸上に配置されるように前記回転体を回転させ、前記視軸上に既に配置された前記光学素子に代わる新たな前記光学素子に前記回転盤の回転方向で隣接した前記光学素子が前記視軸上から除去されると同時に又は除去された後に前記遮断部材が前記視軸上から除去されるように前記回転体を回転させることを特徴とする請求項２乃至４のいずれか一項に記載の自覚式検眼装置。
【請求項６】
前記回転盤には、その回転方向に互いに間隔をおいて複数の開口が形成されており、前記各光学素子はそれぞれ前記各開口内に配置されており、前記回転体には、前記各開口のそれぞれに対応する位置のうち少なくとも互いに隣り合った二箇所にそれぞれ開口が形成されており、一方の該開口には前記遮断部材が設けられており、他方の前記開口は開放されており、前記制御手段は、前記光学素子配置装置により選択された前記光学素子が前記視軸上に配置された状態で前記他方の開口が前記視軸上に配置されるように前記回転体を回転させることを特徴とする請求項５に記載の自覚式検眼装置。
【請求項７】
前記回転体には、前記回転盤に形成された前記各開口に対応する位置にそれぞれ前記開口が形成されており、該各開口は一つおきに開放しており、開放した前記各開口間に配置された前記各開口内にはそれぞれ前記遮断部材が設けられていることを特徴とする請求項６に記載の自覚式検眼装置。
【請求項８】
前記光学素子配置装置は、前記各光学素子が収容されるハウジングを備え、該ハウジングには、前記各光学素子を通して前記視標を見るための検眼窓が形成されており、前記視線遮断手段は、前記検眼窓を閉鎖する閉鎖位置と該検眼窓を開放する開放位置との間で移動可能に前記ハウジングに設けられた板状部材であり、該板状部材は、前記制御手段の制御下で前記閉鎖位置におかれることにより、前記被検眼による前記視標の視認を妨げることを特徴とする請求項１乃至４のいずれか一項に記載の自覚式検眼装置。
【請求項９】
前記光学素子配置装置は、前記各光学素子が収容されるハウジングを備え、該ハウジングには、前記各光学素子を通して前記視標を見るための検眼窓が形成されており、前記視線遮断手段は、前記検眼窓内に配置された液晶パネルであり、前記制御手段は、前記光学素子配置装置が前記各光学素子を前記視軸上に配置する動作の開始からその終了までの間に、前記被検眼による前記視標の視認を妨げるべく前記液晶パネルを表示状態におくことを特徴とする請求項１乃至４のいずれか一項に記載の自覚式検眼装置。
【請求項１０】
前記光学素子配置装置は、前記各光学素子が収容されるハウジングを備え、該ハウジングには、前記各光学素子を通して前記視標を見るための検眼窓が形成されており、前記視線遮断手段は、前記検眼窓に設けられ、該検眼窓の開放領域を狭めるべく該検眼窓をその周囲から絞り込むように動作する絞り部材であり、前記制御手段は、前記光学素子配置装置が前記各光学素子を前記視軸上に配置する動作の開始からその終了までの間に、前記検眼窓を絞り込むべく前記絞り部材を作動させることを特徴とする請求項１乃至４のいずれか一項に記載の自覚式検眼装置。
【発明の詳細な説明】
【技術分野】
【０００１】
本発明は、被検者の自覚的な判断に基づいて被検眼の視機能を検査するための自覚式検眼装置に関する。
【背景技術】
【０００２】
従来、眼鏡を作成する際に該眼鏡のレンズの屈折度数を定めるために、被検者の各眼の視機能を被検者の応答に基づいて検査するための自覚式検眼装置が知られている（例えば、特許文献１参照。）。このような自覚式検眼装置は、各種の視標を被検眼に呈示するための視標呈示装置と、視標を見る被検眼の視軸上に各種の光学素子であるレンズを選択的に配置する光学素子配置装置とを備える。
【０００３】
この自覚式検眼装置では、各レンズは、それぞれ光学素子配置装置に回転可能に設けられた回転盤にその回転方向に互いに間隔をおいて設けられており、回転盤の回転により前記視軸上に選択的に配置される。
【０００４】
被検者は、視標呈示装置により呈示された視標を前記視軸上に配置されたレンズを通して見ることによって被検眼の視機能を検査することができる。
【特許文献１】特開２００２−１４３０９２号公報
【発明の開示】
【発明が解決しようとする課題】
【０００５】
ところで、前記視軸上に既に配置されたレンズに代えて新たなレンズを通して視標を被検眼に見せる際、回転盤を回転させることにより新たなレンズを前記視軸上に配置する。
【０００６】
しかしながら、既に配置されたレンズに隣接することなく該レンズとの間に複数のレンズをおいて回転盤に設けられたレンズが新たに選択された場合、回転盤を回転させたときに、既に配置されたレンズと新たなレンズとの間の複数のレンズすなわち実行される検査に不要なレンズが視軸上を通過するため、被検者は通過する全てのレンズを通して視標を見た後、新たに選択されたレンズを通して視標を見ることになる。
【０００７】
このため、例えば前記視軸上に最初に配置されたレンズを通して見たときの視標の見え方と、新たに配置されるレンズを通して見たときの視標の見え方とを比較する場合、被検者は、回転盤の回転時に前記視軸上を通過した各レンズを含む複数のレンズを通して見たときの視標の見え方のうち二つを比較する必要があるため、被検者に混乱が生じる虞がある。被検者に混乱が生じると、被検眼の視機能を正確に測定することができない。
【０００８】
そこで、本発明の目的は、実行される検査に不要な光学素子を通して視標を見ることによる被検者の混乱を招くことなく被検眼の視機能を正確に測定することができる自覚式検眼装置を提供することにある。
【課題を解決するための手段】
【０００９】
上記課題を解決するために、請求項１に記載の発明は、各種の視標を被検眼に呈示する視標呈示装置と、該視標呈示装置により呈示された前記視標を見る前記被検眼の視軸上に各種の光学素子をそれぞれ選択的に配置する光学素子配置装置と、前記各光学素子を通しての前記被検眼による前記視標の視認を妨げるための視線遮断手段と、該視線遮断手段の作動を制御する制御手段とを備え、前記各光学素子を通して前記視標を見る被検者の自覚的な判断に基づいて該被検者の前記被検眼の視機能を検査するための自覚式検眼装置であって、前記制御手段は、前記光学素子配置装置が前記各光学素子を前記視軸上に配置する動作の開始からその終了までの間に前記視線遮断手段を作動させることを特徴とする。
【００１０】
請求項２に記載の発明は、請求項１に記載の発明において、前記各光学素子は、それぞれ前記光学素子配置装置に回転可能に設けられた回転盤にその回転方向に互いに間隔をおいて設けられ、前記回転盤の回転により前記視軸上に選択的に配置され、前記制御手段は、前記視軸上に既に配置された前記光学素子に代えて新たに前記視軸上に配置される前記光学素子が前記光学素子配置装置により選択されたとき、既に配置された前記光学素子と新たな前記光学素子との間で前記回転盤に配置された前記光学素子の個数を計測し、計測した個数に基づいて前記視線遮断手段を作動させるか否かを判断することを特徴とする。
【００１１】
請求項３に記載の発明は、請求項２に記載の発明において、前記制御手段は、前記視軸上に既に配置された前記光学素子と該光学素子に代えて新たに前記視軸上に配置される前記光学素子との間に少なくとも一つの前記光学素子が配置されている場合に、前記視線遮断手段を作動させることを特徴とする。
【００１２】
請求項４に記載の発明は、請求項２又は３に記載の発明において、前記制御手段は、新たな前記光学素子を前記視軸上に配置するために前記回転盤が回転すべき回転角度と該回転盤の回転速度とを検出し、検出した回転角度及び回転速度に基づいて前記視線遮断手段の作動時間を算出することを特徴とする。
【００１３】
請求項５に記載の発明は、請求項２乃至４のいずれか一項に記載の発明において、前記視線遮断手段は、前記回転盤と同軸上に設けられ前記制御手段の制御下で回転する回転体と、該回転体に設けられ、該回転体の回転により前記視軸上に配置される遮断部材とを備え、前記制御手段は、前記視軸上に既に配置された前記光学素子にその前記回転盤の回転方向側と反対方向側で隣り合った前記光学素子が前記回転盤の回転により前記視軸上に配置される前又は配置されると同時に前記遮断部材が前記視軸上に配置されるように前記回転体を回転させ、前記視軸上に既に配置された前記光学素子に代わる新たな前記光学素子に前記回転盤の回転方向で隣接した前記光学素子が前記視軸上から除去されると同時に又は除去された後に前記遮断部材が前記視軸上から除去されるように前記回転体を回転させることを特徴とする。
【００１４】
請求項６に記載の発明は、請求項５に記載の発明において、前記回転盤には、その回転方向に互いに間隔をおいて複数の開口が形成されており、前記各光学素子はそれぞれ前記各開口内に配置されており、前記回転体には、前記各開口のそれぞれに対応する位置のうち少なくとも互いに隣り合った二箇所にそれぞれ開口が形成されており、一方の該開口には前記遮断部材が設けられており、他方の前記開口は開放されており、前記制御手段は、前記光学素子配置装置により選択された前記光学素子が前記視軸上に配置された状態で前記他方の開口が前記視軸上に配置されるように前記回転体を回転させることを特徴とする。
【００１５】
請求項７に記載の発明は、請求項６に記載の発明において、前記回転体には、前記回転盤に形成された前記各開口に対応する位置にそれぞれ前記開口が形成されており、該各開口は一つおきに開放しており、開放した前記各開口間に配置された前記各開口内にはそれぞれ前記遮断部材が設けられていることを特徴とする。
【００１６】
請求項８に記載の発明は、請求項１乃至４のいずれか一項に記載の発明において、前記光学素子配置装置は、前記各光学素子が収容されるハウジングを備え、該ハウジングには、前記各光学素子を通して前記視標を見るための検眼窓が形成されており、前記視線遮断手段は、前記検眼窓を閉鎖する閉鎖位置と該検眼窓を開放する開放位置との間で移動可能に前記ハウジングに設けられた板状部材であり、該板状部材は、前記制御手段の制御下で前記閉鎖位置におかれることにより、前記被検眼による前記視標の視認を妨げることを特徴とする。
【００１７】
請求項９に記載の発明は、請求項１乃至４のいずれか一項に記載の発明において、前記光学素子配置装置は、前記各光学素子が収容されるハウジングを備え、該ハウジングには、前記各光学素子を通して前記視標を見るための検眼窓が形成されており、前記視線遮断手段は、前記検眼窓内に配置された液晶パネルであり、前記制御手段は、前記光学素子配置装置が前記各光学素子を前記視軸上に配置する動作の開始からその終了までの間に、前記被検眼による前記視標の視認を妨げるべく前記液晶パネルを表示状態におくことを特徴とする。
【００１８】
請求項１０に記載の発明は、請求項１乃至４のいずれか一項に記載の発明において、前記光学素子配置装置は、前記各光学素子が収容されるハウジングを備え、該ハウジングには、前記各光学素子を通して前記視標を見るための検眼窓が形成されており、前記視線遮断手段は、前記検眼窓に設けられ、該検眼窓の開放領域を狭めるべく該検眼窓をその周囲から絞り込むように動作する絞り部材であり、前記制御手段は、前記光学素子配置装置が前記各光学素子を前記視軸上に配置する動作の開始からその終了までの間に、前記検眼窓を絞り込むべく前記絞り部材を作動させることを特徴とする。
【発明の効果】
【００１９】
請求項１に記載の発明によれば、各光学素子を通しての被検眼による視標の視認を妨げるための視線遮断手段が、光学素子配置装置が各光学素子を通して視標を見る被検眼の視軸上に配置する動作の開始からその終了までの間に制御手段の制御下で作動することから、前記視軸上に既に配置された光学素子に代えて新たな光学素子を通して視標を被検眼に見せる際、新たな光学素子を前記視軸上に配置すべく光学素子配置装置が作動している間、視線遮断手段により被検眼による視標の視認を妨げることができる。
【００２０】
これにより、各光学素子が、例えば従来のように、それぞれ光学素子配置装置に回転可能に設けられた回転盤にその回転方向に互いに間隔をおいて設けられている場合に、前記視軸上に既に配置された光学素子に隣接することなく該光学素子との間に複数の光学素子をおいて回転盤に設けられた光学素子が新たに選択されたとき、その新たな光学素子を前記視軸上に配置すべく回転盤が回転したときに被検眼による視標の視認を視線遮断手段により妨げることができる。これにより、既に配置された光学素子と新たな光学素子との間の複数の光学素子すなわち実行される検査に不要な光学素子が視軸上を通過したときに、被検眼が検査に不要な各光学素子を通して視標を見ることが防止される。これにより、例えば前記視軸上に最初に配置された光学素子を通して見たときの視標の見え方と、新たに配置される光学素子を通して見たときの視標の見え方とを比較する場合でも、被検者は、前記不要な各光学素子を通して視標を見たときの見え方を考慮する必要はない。
【００２１】
従って、前記不要な核光学素子を含む複数の光学素子を通して見たときの視標の見え方を考慮することによる従来のような被検者の混乱が確実に防止されるので、被検者に混乱が生じることによる従来のような被検眼の視機能の誤測定を確実に防止することができる。
【００２２】
請求項２に記載の発明によれば、各光学素子は、それぞれ光学素子配置装置に回転可能に設けられた回転盤にその回転方向に互いに間隔をおいて設けられ、回転盤の回転により前記視軸上に選択的に配置され、視線遮断手段の作動を制御する制御手段は、前記視軸上に既に配置された光学素子に代えて新たに前記視軸上に配置される光学素子が光学素子配置装置により選択されたとき、既に配置された光学素子と新たな光学素子との間で回転盤に配置された光学素子の個数を計測し、計測した個数に基づいて視線遮断手段を作動させるか否かを判断することから、例えば回転盤の回転時に前記視軸上を通過する光学素子の個数が所定の個数以下であれば該光学素子を通して視標を見たとしても被検者に混乱を生じさせないと考えられる場合、前記所定の個数を設定することにより、既に配置された光学素子と新たな光学素子との間で回転盤に配置された光学素子の個数が前記所定の個数よりも多い場合にのみ視線遮断手段を作動させることができる。
【００２３】
請求項３に記載の発明によれば、制御手段は、前記視軸上に既に配置された光学素子と該光学素子に代えて新たに前記視軸上に配置される光学素子との間に少なくとも一つの光学素子が配置されている場合に視線遮断手段を作動させることから、回転盤の回転時に前記視軸上を通過する光学素子の個数が二個以上のときにのみ視線遮断手段を作動させることができる。
【００２４】
請求項４に記載の発明によれば、制御手段は、新たな光学素子を前記視軸上に配置するために回転盤が回転すべき回転角度と該回転盤の回転速度とを検出し、検出した回転角度及び回転速度に基づいて視線遮断手段の作動時間を算出することから、回転盤の回転角度及び回転速度に応じて視線遮断手段の作動時間をより正確に算出することができるので、前記視軸上に既に配置された光学素子と該光学素子に代えて新たに前記視軸上に配置される光学素子との間に設けられた各光学素子が回転盤の回転により前記視軸上を通過する間、その通過する各光学素子を通しての被検眼による視標の視認をより確実に防止することができる。
【００２５】
請求項５に記載の発明によれば、視線遮断手段を、回転盤と同軸上に設けられ制御手段の制御下で回転する回転体と、該回転体に設けられ、該回転体の回転により前記視軸上に配置される遮断部材とで構成することができる。
【００２６】
この場合、前記視軸上に既に配置された光学素子にその回転盤の回転方向側と反対方向側で隣り合った光学素子が回転盤の回転により前記視軸上に配置される前又は配置されると同時に遮断部材が前記視軸上に配置されるように、制御手段の制御下で回転体を回転させることができる。これにより、前記視軸上に既に配置された光学素子に隣接した光学素子が視軸上に配置されたときには遮断部材が前記視軸上に確実に配置されるので、前記隣接した前記光学素子を通しての被検眼による視標の視認がより確実に妨げられる。
【００２７】
また、この場合、前記視軸上に既に配置された光学素子に代わる新たな光学素子に回転盤の回転方向で隣接した光学素子が前記視軸上から除去されると同時に又は除去された後に遮断部材が前記視軸上から除去されるように回転体を回転させることができる。これにより、新たに配置される光学素子に隣接した前記光学素子が前記視軸上から除去されるまで遮断部材が前記視軸上に確実に配置されるので、新たに配置される光学素子に隣接した前記光学素子を通しての被検眼による視標の視認がより確実に妨げられる。
【００２８】
請求項６に記載の発明によれば、回転盤には、その回転方向に互いに間隔をおいて複数の開口が形成されており、各光学素子はそれぞれ各開口内に配置されており、回転体には、各開口のそれぞれに対応する位置のうち少なくとも互いに隣り合った二箇所にそれぞれ開口が形成されており、一方の該開口には遮断部材が設けられており、他方の開口は開放されており、制御手段は、光学素子配置装置により選択された光学素子が視軸上に配置された状態で前記他方の開口が前記視軸上に配置されるように回転体を回転させることから、前記視軸上に配置された光学素子を通して被検眼に視標を見せるときに、被検眼に回転体の前記他方の開口を通して視標を見せることができる。これにより、被検眼に視標を見せる必要があるときすなわち被検眼による視標の視認を妨げる必要がないときに、回転体及び遮断部材が被検眼による視標の視認の妨げになることを確実に防止することができる。
【００２９】
また、回転体に形成された各開口が互いに隣接していることから、両開口が互いに離反した位置に形成された場合に比べて、開放した開口が前記視軸上に配置される回転位置と遮断部材が前記視軸上に配置される回転位置との間の回転体の回転角度を小さくすることができる。これにより、遮断部材が前記視軸上に配置された状態から開放した開口を前記視軸上に配置するとき又はその逆のとき、遮断部材及び開放した開口の相互の交換を容易に行うことができる。
【００３０】
請求項７に記載の発明によれば、回転体には、回転盤に形成された各開口に対応する位置にそれぞれ開口が形成されており、該各開口は一つおきに開放しており、開放した各開口間に配置された各開口内にはそれぞれ遮断部材が設けられていることから、回転体には、開放した開口と遮断部材が設けられた開口とが交互に形成されている。
【００３１】
従来、遮断部材が設けられた開口と開放した開放口とがたとえ互いに隣接していたとしても回転体が一方向にのみ回転可能である場合には、前記視軸上に配置された遮断部材を開放口に交換するとき又はその逆のとき、開放口又は遮断部材を前記視軸上に配置するために回転体をほぼ一回転させる必要がある。このため、視線遮断手段の作動時間が長くなり、被検眼の検査に費やされる時間が長くなってしまう。
【００３２】
これに対し、本発明によれば、前記したように、回転体には開放した開口と遮断部材が設けられた開口とが交互に形成されていることから、回転体が一方向にのみ回転可能である場合でも、前記視軸上に配置された遮断部材を開放した開口に交換するとき又はその逆のとき、開放した開口又は遮断部材を前記視軸上に配置するために回転体をほぼ一回転させる必要はなく、開放した開口及び遮断部材間の回転角度で回転させればよい。これにより、開放した開口及び遮断部材間の相互の交換のために回転体をほぼ一回転させることによる視線遮断手段の作動時間の延長が防止されるので、視線遮断手段の作業時間の延長による被検眼の検査時間の延長を確実に防止することができる。
【００３３】
請求項８に記載の発明によれば、視線遮断手段は、光学素子配置装置のハウジングに形成された検眼窓を閉鎖する閉鎖位置と該検眼窓を開放する開放位置との間で移動可能にハウジングに設けられた板状部材であり、該板状部材は、制御手段の制御下で閉鎖位置におかれることにより被検眼により視標の視認を妨げることから、回転盤の回転時に板状部材により検眼窓を閉鎖することによって、前記視軸上を通過する各光学素子を通しての被検眼による視標の視認を確実に妨げることができる。
【００３４】
請求項９に記載の発明によれば、視線遮断手段は、光学素子配置装置のハウジングに形成された検眼窓内に配置された液晶パネルであり、制御手段は、光学素子配置装置が各光学素子を前記視軸上に配置する動作の開始からその終了までの間に、被検眼による視標の視認を妨げるべく液晶パネルを表示状態におくことから、回転盤の回転時に液晶パネルを表示状態におくことにより、前記視軸上を通過する各光学素子を通しての被検眼による視標の視認を確実に妨げることができる。
【００３５】
請求項１０に記載の発明によれば、視線遮断手段は、光学素子配置装置のハウジングに形成された検眼窓に設けられ、該検眼窓の開放領域を狭めるべく該検眼窓をその周囲から絞り込むように動作する絞り部材であり、制御手段は、光学素子配置装置が各光学素子を前記視軸上に配置する動作の開始からその終了までの間に、検眼窓を絞り込むべく絞り部材を作動させることから、回転盤の回転時に絞り部材により検眼窓を絞り込むことにより、前記視軸上を通過する各光学素子を通しての被検眼による視標の視認を確実に妨げることができる。
【発明を実施するための最良の形態】
【００３６】
本発明を図示の実施例に沿って説明する。
【実施例】
【００３７】
本発明に係る自覚式検眼装置１０は、図１に示すように、各種の視標１１を被検者１２の被検眼１３（図２参照。）に呈示するための視標呈示装置１４と、被検眼１３の視機能を矯正するための矯正装置１５とを備える。自覚式検眼装置１０は、従来よく知られているように、図示しない眼鏡を作成する際に該眼鏡のレンズの屈折度数を定めるために用いられている。
【００３８】
視標呈示装置１４は、視標１１が表示される表示窓１６が設けられた呈示装置本体１７を備える。表示窓１６に表示される視標１１は、後述するコントローラ１８の操作により選択される。
【００３９】
視標呈示装置１４の被検者１２側には、検眼テーブル１９が配置されており、該検眼テーブルに設けられたアーム２０に矯正装置１５が取り付けられている。
【００４０】
矯正装置１５は、左右方向に並べて配置された一対のフォロプタ２１，２２を備える。各フォロプタ２１，２２は、図２に示すように、それぞれハウジング２３，２４を備える（図２には、一方のフォロプタ２１が示されている。）。
【００４１】
各ハウジング２３，２４には、それぞれ呈示装置本体１７の表示窓１６に表示された視標１１を見るための検眼窓２５が形成されている。各検眼窓２５は、図示の例では、円形をなしており、各ハウジング２３，２４の被検者１２側の前方壁２３ａ，２４ａ及び該前方壁と反対側に位置する後方壁２３ｂ，２４ｂに互いに対向した位置でそれぞれ形成されている。
【００４２】
各ハウジング２３，２４内には軸部材２６が設けられている。軸部材２６は、その軸線が前方壁２３ａ，２４ａ及び後方壁２３ｂ，２４ｂに形成された各検眼窓２５の中心を通る線にほぼ平行になるように配置されており、その両端部２６ａで前方壁２３ａ，２４ａ及び後方壁２３ｂ，２４ｂに支持されている。
【００４３】
また、各ハウジング２３，２４内には、図示の例では、それぞれ四つの回転盤２７，２８，２９，３０が配置されている。各回転盤２７〜３０は、図示の例では、それぞれ環状をなしており、中心を互いに一致させ且つ互いに所定の間隔をおいて軸部材２６にその軸線の周りに回転可能に支持されている。各回転盤２７〜３０には、図３に示すように、それぞれ複数の開口３１が各回転盤２７〜３０の周方向に互いに等間隔をおいて形成されている。
【００４４】
各回転盤２７〜３０のうち最も被検者１２側に配置された回転盤２７の各開口３１内には、図示の例では、それぞれ球面度数が０．２５Ｄずつ異なるレンズ３２が設けられている。また、被検者１２側から見て二番目に配置された回転盤２８の各開口３１内には、それぞれ球面度数が３．０Ｄずつ異なるレンズ３２が設けられている。更に、被検者１２側から見て三番目に配置された回転盤２９の各開口３１内には、それぞれ乱視検査用のレンズ３２が設けられている。また、被検者１２側から見て四番目に配置された回転盤３０の各開口３１内には、従来と同様に、ピンホール、マドックスレンズ、レッドフィルタ、グリーンフィルタ及びロータリープリズム等が設けられている。
【００４５】
各回転盤２７〜３０の周面には、それぞれ該各回転盤の周方向に沿ってギア２７ａ，２８ａ，２９ａ，３０ａが形成されている。各回転盤２７〜３０のギア２７ａ〜３０ａには、図２に示すように、それぞれ各ハウジング２３，２４内に設けられた各駆動モータ３３の駆動ギア３４が噛合されており、各回転盤２７〜３０は各駆動モータ３３の駆動により回転する。この各回転盤２７〜３０の回転により、各レンズ３２は、各ハウジング２３，２４に形成された両検眼窓２５を通して視標１１を見る被検眼１３の視軸Ｐ上に選択的に配置される。すなわち、矯正装置１５は、光学素子である各レンズ３２を被検眼１３と視標呈示装置１４との間に選択的に配置する光学素子配置装置を構成している。
【００４６】
更に、各ハウジング２３，２４内には乱視検査用の回転ディスク３５が設けられている。回転ディスク３５は、図示の例では、各回転盤２７〜３０の径とほぼ等しい径を有する円盤からなり、四番目の回転盤３０と後方壁２３ｂ，２４ｂとの間で軸部材２６の周りに回転可能に該軸部材に支持されている。回転ディスク３５には、図４に示す例では、その周方向に互いに等間隔をおいて複数の開口３６が形成されている。
【００４７】
複数の開口３６のうち互いに隣接する所定の二つの開口３６ａ，３６ｂを除く各開口３６には、それぞれ筒状のホルダー３７がその軸線の周りに回転可能に設けられている。各ホルダー３７内には、それぞれ互いに度数が異なるクロスシリンダレンズ３８が設けられている。クロスシリンダレンズ３８は、従来よく知られているように、乱視検査を行うための光学素子である。各ホルダー３７の周面には、それぞれ各ホルダー３７の周方向に沿ってギア３７ａが形成されている。
【００４８】
また、回転ディスク３５には、図２及び図４に示すように、大径部３９ａと小径部３９ｂとを有し軸部材２６の周りに回転可能な太陽歯車３９が設けられており、各ホルダー３７のギア３７ａには、それぞれ太陽歯車３９の大径部３９ａが噛合されている。太陽歯車３９の小径部３９ｂには、図２に示すように、各ハウジング２３，２４内に設けられた駆動モータ４０の駆動ギア４２が噛合されている。各ホルダー３７は、それぞれ駆動モータ４０の駆動により太陽歯車３９が回転することによって該太陽歯車を介して回転する。これにより、被検眼１３の乱視検査を行う際に、各ホルダー３７内に保持されたクロスシリンダレンズ３８を回転させることができる。
【００４９】
回転ディスク３５の周面には、図２及び図４に示すように、その周方向に沿ってギア４２が形成されており、該ギアには、各ハウジング２３，２４内に設けられた駆動モータ４３の駆動ギア４４が噛合されている。回転ディスク３５は、駆動モータ４３の駆動により軸部材２６の周りに回転する。
【００５０】
回転ディスク３５に形成された各開口３６のうち、互いに隣接した前記した所定の二つの開口３６ａ，３６ｂのうち一方の開口３６ａ内には、図４に示すように、被検者１２が検眼窓２５から各回転盤２７〜３０の各レンズ３２を通して視標１１を見たときに被検眼１３の視線を妨げるための遮断部材４５が設けられており、他方の開口３６ｂは開放した開放口３６ｂで構成されている。遮断部材４５は、図示の例では、着色された板部材からなる。回転ディスク３５及び遮断部材４５で、本発明に係る視線遮断手段を構成している。
【００５１】
更に、本発明に係る自覚式検眼装置１０は、矯正装置１５及び視標呈示装置１４の作動を制御する前記したコントローラ１８を備える。
【００５２】
コントローラ１８は、図１に示すように、検眼テーブル１９上に載置されており、図５に示すように、ＣＰＵ４６及びメモリ部４７を有する演算制御回路４８と、検者６３（図１参照。）により操作される操作部４９とを備える。
【００５３】
ＣＰＵ４６は、矯正装置１５及び視標呈示装置１４のそれぞれに設けられた図示しない駆動制御部に接続されている。メモリ部４７には、ＣＰＵ４６による算出のための各種の計算プログラム５０が記憶されている。
【００５４】
操作部４９は、演算制御回路４８に接続されている。操作部４９には、図６に示すように、各フォロプタ２１，２２のハウジング２３，２４内で前記視軸Ｐ上に配置するレンズ３２を切り替えるときに操作されるダイヤルスイッチ５１と、視標呈示装置１４の表示窓１６に表示させる視標１１を選択するための複数の視標選択スイッチ５２ａからなるスイッチ群５２とが設けられている。
【００５５】
被検眼１３の例えば視力検査を行う際、検者６３は、操作部４９の視標選択スイッチ５２ａの操作により被検眼１３に見せる視標１１を選択する。このとき、ＣＰＵ４６は、視標選択スイッチ５２ａが操作されたことを検知すると、選択された視標１１を表示窓１６に表示させる旨の制御信号を視標呈示装置１４の前記駆動制御部に送る。これにより、視標呈示装置１４の表示窓１６には選択された視標１１が表示される。
【００５６】
被検者１２は、視標呈示装置１４の表示窓１６に表示された視標１１を各フォロプタ２１，２２内で前記視軸Ｐ上に配置された各レンズ３２を通して見て、その見え方を検者６３に応答する。検者６３は、被検者１２の応答に基づいて、前記視軸Ｐ上に既に配置されたレンズ３２ａ（図３参照。）に代えて該レンズとは度数の異なる新たなレンズ３２ｂ（図３参照。）を前記視軸Ｐ上に配置するために操作部４９のダイヤルスイッチ５１を操作する。
【００５７】
このとき、ＣＰＵ４６は、操作部４９のダイヤルスイッチ５１が操作されたことを検知すると、前記視軸Ｐ上に既に配置されたレンズ３２ａの度数とダイヤルスイッチ５１の操作により選択された新たなレンズ３２ｂの球面度数とを比較する。ＣＰＵ４６は、既存のレンズ３２ａの球面度数と新たなレンズ３２ｂの球面度数とが互いに異なる場合には、その選択された新たなレンズ３２ｂを前記視軸Ｐ上に配置するために各回転盤２７〜３０を回転させるべき回転角度をメモリ部４７に記憶された計算プログラム５０を用いて算出する。ＣＰＵ４６は、各回転盤２７〜３０の回転角度を算出すると、算出した回転角度で各回転盤２７〜３０を回転させることを示す制御信号を矯正装置１５の前記駆動制御部に送る。これにより、各フォロプタ２１，２２に設けられた各駆動モータ３３，４０が駆動して各回転盤２７〜３０が回転することにより、ダイヤルスイッチ５１の操作により選択された球面度数を有する新たなレンズ３２ｂが各フォロプタ２１，２２のハウジング２３，２４内で前記視軸Ｐ上に配置される。
【００５８】
本発明に係るＣＰＵ４６は、操作部４９のダイヤルスイッチ５１が操作されたことを検知すると、各回転盤２７〜３０を回転させるに先立って、前記視軸Ｐ上に既に配置されたレンズ３２ａと新たに選択されたレンズ３２ｂとの間で回転盤２７〜３０に設けられたレンズ３２の個数を計測する。このレンズ３２の個数は、メモリ部４７に記憶された計算プログラム５０の実行により計測され、既存のレンズ３２ａの球面度数と新たなレンズ３２ｂの球面度数との差から求められる。すなわち、例えば球面度数が０．２５Ｄずつ異なるレンズ３２が設けられている回転盤２７を回転させる場合に、既存のレンズ３２ａの球面度数が０．５Ｄであり、新たに選択されたレンズ３２ｂの球面度数が１．５Ｄである場合、既存のレンズ３２ａと選択されたレンズ３２ｂとの間には、三つのレンズ３２が介在することが分かる。ＣＰＵ４６は、既存のレンズ３２ａと選択されたレンズ３２ｂとの間のレンズ３２の個数を計測した結果、既存のレンズ３２ａと選択されたレンズ３２ｂとの間に所定の個数以上のレンズ３２が介在していると判断した場合には、回転盤２７〜３０の回転時に既存のレンズ３２ａと選択されたレンズ３２ｂとの間の複数のレンズ３２すなわち現検査に不要なレンズ３２が前記視軸Ｐ上を通過したときに被検眼１３が検査に不要な各レンズ３２を通して視標１１を見ることを防止するために、視線遮断手段の遮断部材４５が設けられた回転ディスク３５を回転させる。図示の例では、ＣＰＵ４６は、既存のレンズ３２ａと選択されたレンズ３２ｂとの間に二つ以上のレンズ３２が介在していると判断した場合に回転ディスク３５を回転させる。すなわち、図示の例では、ＣＰＵ４６は、視線遮断手段の作動を制御する制御手段としての役割を担う。尚、図示の例では、被検眼１３にレンズ３２を通して視標１１を見せるときは、回転ディスク３５は、その開放口３６ｂが前記視軸Ｐ上に配置される回転位置におかれている。
【００５９】
開放口３６ｂが前記視軸Ｐ上に配置された状態から回転ディスク３５を回転させる際、ＣＰＵ４６は、図示の例では、先ず、回転する回転盤２７〜３０の既存のレンズ３２ａが設けられた開口３１の中心及び回転盤２７〜３０の中心を結ぶ線と新たに選択されたレンズ３２ｂが設けられた開口３１の中心及び回転盤２７〜３０の中心を結ぶ線とのなす角度θ（図３参照。）を計算プログラム５０を用いて算出する。更に、ＣＰＵ４６は、算出した角度θと回転盤２７〜３０の回転速度とから、新たに選択されたレンズ３２ｂを前記視軸Ｐ上に配置するために回転盤２７〜３０が回転する時間を計算プログラム５０を用いて算出する。ＣＰＵ４６は、算出した回転盤２７〜３０の回転時間に基づいて、既存のレンズ３２ａと選択されたレンズ３２ｂとの間に介在した全てのレンズ３２が前記視軸Ｐ上を通過する通過時間を計算プログラム５０を用いて算出する。
【００６０】
ＣＰＵ４６は、前記通過時間を算出した後、図示の例では、既存のレンズ３２ａにその回転盤２７〜３０の回転方向側と反対方向側で隣り合ったレンズ３２ｃ（図３参照。）が回転盤２７〜３０の回転により前記視軸Ｐ上に配置されると同時に遮断部材４５が前記視軸Ｐ上に配置されるように回転ディスク３５を回転させる旨の制御信号を矯正装置１５の前記駆動制御部に送る。これにより、各フォロプタ２１，２２に設けられた駆動モータ４３が駆動することによって回転ディスク３５が回転し、既存のレンズ３２ａに隣接した前記レンズ３２ｃが前記視軸Ｐ上に配置されると同時に遮断部材４５が前記視軸Ｐ上に配置される。
【００６１】
また、ＣＰＵ４６は、前記通過時間を算出した後、図示の例では、既存のレンズ３２ａと選択されたレンズ３２ｂとの間に介在した全てのレンズ３２が前記視軸Ｐ上を通過する間遮断部材４５を前記視軸Ｐ上に配置し、選択された新たなレンズ３２ｂに回転盤２７〜３０の回転方向で隣接したレンズ３２ｄ（図３参照。）が前記視軸Ｐ上から除去されると同時に遮断部材４５が前記視軸Ｐ上から除去されるように回転ディスク３５を回転させる旨の制御信号を矯正装置１５の前記駆動制御部に送る。すなわち、図示の例では、遮断部材４５を前記視軸Ｐ上に配置しておく時間は、既存のレンズ３２ａと選択されたレンズ３２ｂとの間に介在した全てのレンズ３２が前記視軸Ｐ上を通過する時間に等しい。ＣＰＵ４６から受ける制御信号により、遮断部材４５が前記視軸Ｐ上に配置された状態で駆動モータ４３の駆動が停止し、更に、既存のレンズ３２ａと選択されたレンズ３２ｂとの間に介在した全てのレンズ３２が前記視軸Ｐ上を通過した後、駆動モータ４３が再度駆動することにより回転ディスク３５が回転し、新たなレンズ３２ｂに隣接した前記レンズ３２ｄが前記視軸Ｐ上から除去されると同時に遮断部材４５が前記視軸Ｐ上から除去される。これにより、既存のレンズ３２ａと選択されたレンズ３２ｂとの間に介在した全てのレンズ３２が前記視軸Ｐ上を通過する間、被検眼１３による視標１１の視認が妨げられる。
【００６２】
本実施例によれば、前記したように、被検眼１３による視標１１の各レンズ３２を通しての視認を妨げるための視線遮断手段の回転ディスク３５が、各回転盤２７〜３０の回転動作の開始からその終了までの間に演算制御回路４８のＣＰＵ４６の制御下で作動することから、前記視軸Ｐ上に既に配置されたレンズ３２ａに代えて新たなレンズ３２ｂを通して視標１１を被検眼１３に見せる際、新たなレンズ３２ａを前記視軸Ｐ上に配置すべく各回転盤２７〜３０が回転している間、視線遮断手段の遮断部材４５により被検眼１３による視標１１の視認を妨げることができる。
【００６３】
これにより、前記視軸Ｐ上に既に配置されたレンズ３２ａに隣接することなく該レンズとの間に複数のレンズ３２をおいて回転盤２７〜３０に設けられたレンズ３２ｂが新たに選択されたとき、その新たなレンズ３２ｂを前記視軸Ｐ上に配置すべく回転盤２７〜３０が回転したときに被検眼１３による視標１１の視認を視線遮断手段により妨げることができる。これにより、既存のレンズ３２ａと新たなレンズ３２ｂとの間の複数のレンズ３２が視軸Ｐ上を通過したときに、被検眼１３が検査に不要な各レンズ３２を通して視標１１を見ることが防止される。これにより、例えば前記視軸Ｐ上に最初に配置されたレンズ３２ａを通して見たときの視標１１の見え方と、新たに配置されるレンズ３２ｂを通して見たときの視標１１の見え方とを比較する場合でも、被検者１２は、前記不要な各レンズ３２を通して視標１１を見たときの見え方を考慮する必要はない。
【００６４】
従って、前記不要な各レンズ３２を含む複数のレンズ３２を通して見たときの視標１１の見え方を考慮することによる従来のような被検者１２の混乱が確実に防止されるので、被検者１２に混乱が生じることによる従来のような被検眼１３の視機能の誤測定を確実に防止することができる。
【００６５】
また、前記したように、視線遮断手段の回転ディスク３５の作動を制御するＣＰＵ４６は、既存のレンズ３２ａに代えて新たに前記視軸Ｐ上に配置されるレンズ３２ｂが選択されたとき、既存のレンズ３２ａと新たなレンズ３２ｂとの間で回転盤２７〜３０に配置されたレンズ３２の個数を計測し、計測した個数に基づいて回転ディスク３５を作動させるか否かを判断することから、例えば回転盤２７〜３０の回転時に前記視軸Ｐ上を通過するレンズ３２の個数が所定の個数以下であれば該レンズを通して視標１１を見たとしても被検者１２に混乱を生じさせないと考えられる場合、前記所定の個数を設定することにより、既に配置されたレンズ３２ａと新たなレンズ３２ｂとの間で回転盤２７〜３０に配置されたレンズ３２の個数が前記所定の個数よりも多い場合にのみ回転ディスク３５を作動させることができる。
【００６６】
更に、前記したように、ＣＰＵ４６は、新たなレンズ３２ｂを前記視軸Ｐ上に配置するために回転盤２７〜３０が回転すべき回転角度と該回転盤の回転速度とを検出し、検出した回転角度及び回転速度に基づいて回転ディスク３５の作動時間を算出することから、回転盤２７〜３０の回転角度及び回転速度に応じて回転ディスク３５の作動時間をより正確に算出することができるので、前記視軸Ｐ上に既に配置されたレンズ３２ａと該レンズに代えて新たに前記視軸Ｐ上に配置されるレンズ３２ｂとの間に設けられた各レンズ３２が回転盤２７〜３０の回転により前記視軸Ｐ上を通過する間、その通過する各レンズ３２を通しての被検眼１３による視標１１の視認をより確実に防止することができる。
【００６７】
また、前記したように、既存のレンズ３２ａにその回転盤２７〜３０の回転方向側と反対方向側で隣り合ったレンズ３２ｃが回転盤２７〜３０の回転により前記視軸Ｐ上に配置されると同時に遮断部材４５が前記視軸Ｐ上に配置されるように、制御手段の制御下で回転ディスク３５が回転することから、既存のレンズ３２ａに隣接したレンズ３２ｃが視軸Ｐ上に配置されたときには遮断部材４５が前記視軸Ｐ上に確実に配置されるので、前記隣接したレンズ３２ｃを通しての被検眼１３による視標１１の視認をより確実に妨げることができる。
【００６８】
また、新たに選択されたレンズ３２ｂが前記視軸Ｐ上に配置されると同時に遮断部材４５が視軸Ｐ上から除去されるように、制御手段の制御下で回転ディスク３５が回転することから、新たなレンズ３２ｂに回転盤２７〜３０の回転方向で隣接したレンズ３２ｄ（図３参照。）が前記視軸Ｐ上から除去されるまで遮断部材４５が前記視軸Ｐ上に確実に配置されるので、新たに配置されるレンズ３２ｂに隣接した前記レンズ３２ｄを通しての被検眼１３による視標１１の視認をより確実に妨げることができる。
【００６９】
更に、前記したように、回転ディスク３５に形成された二つの開口３６ａ，３６ｂのうち一方の開口３６ａには遮断部材４５が設けられており、他方の開口３６ｂは開放口３６ｂで構成されており、被検眼１３にレンズ３２を通して視標１１を見せるときは、回転ディスク３５はその開放口３６ｂが前記視軸Ｐ上に配置される回転位置におかれていることから、前記視軸Ｐ上に配置されたレンズ３２を通して被検眼１３に視標１１を見せるときに、被検眼１３に回転ディスク３５の開放口３６ｂを通して視標１１を見せることができる。これにより、被検眼１３に視標１１を見せる必要があるときすなわち被検眼１３による視標１１の視認を妨げる必要がないときに、回転ディスク３５及び遮断部材４５が被検眼１３による視標１１の視認の妨げになることを確実に防止することができる。
【００７０】
また、遮断部材４５が設けられた開口３６ａと開放口３６ｂとが互いに隣接していることから、両開口３６ａ，３６ｂが互いに離反した位置に形成された場合に比べて、開放口３６ｂが前記視軸Ｐ上に配置される回転位置と遮断部材４５が前記視軸Ｐ上に配置される回転位置との間の回転ディスク３５の回転角度を小さくすることができる。これにより、遮断部材４５が前記視軸Ｐ上に配置された状態から開放口３６ｂを前記視軸Ｐ上に配置するとき又はその逆のとき、遮断部材４５及び開放口３６ｂの相互の交換を容易に行うことができる。
【００７１】
本実施例では、既存のレンズ３２ａにその回転盤２７〜３０の回転方向側と反対方向側で隣り合ったレンズ３２ｃが回転盤２７〜３０の回転により前記視軸Ｐ上に配置されると同時に遮断部材４５が前記視軸Ｐ上に配置され、また、選択された新たなレンズ３２ｂに回転盤２７〜３０の回転方向で隣接したレンズ３２ｄが前記視軸Ｐ上から除去されると同時に遮断部材４５が視軸Ｐ上から除去される例を示したが、これに代えて、既存のレンズ３２ａに隣接した前記レンズ３２ｃが各回転盤２７〜３０の回転により前記視軸Ｐ上に配置される前に遮断部材４５を前記視軸Ｐ上に配置し、また、新たに選択されたレンズ３２ｂに隣接した前記レンズ３２ｄが前記視軸Ｐ上から除去された後に遮断部材４５を視軸Ｐ上から除去することができる。これにより、既存のレンズ３２ａ及び新たなレンズ３２ｂにそれぞれ隣接した前記各レンズ３２ｃ，３２ｄを通しての被検眼１３による視標１１の視認をより確実に妨げることができる。
【００７２】
また、本実施例では、遮断部材４５が着色された板部材からなる例を示したが、これに代えて、例えばグリーンフィルタ、レッドフィルタ、過度な度数を有するレンズ、絵文字が表示された板部材等のように、被検眼１３による視標１１の視認を妨げることができる部材であれば、着色された板部材以外の部材を本発明に適用することができる。
【００７３】
更に、本実施例では、クロスシリンダ検査用の回転ディスク３５と該回転ディスクに設けられた遮断部材４５とで視線遮断手段が構成された例を示したが、これに代えて、回転ディスク３５とは別に各フォロプタ２１，２２のハウジング２３，２４内に回転体５３を軸部材２６の周りに回転可能に設け、回転体５３に遮断部材４５を設けることができる。この場合、図７に示すように、回転体５３に、該回転体の周方向に所定の間隔をおいて複数の開口５４を形成し、該各開口を一つおきに開放し、開放した各開口５４間に配置された各開口５４内にそれぞれ遮断部材４５を設けることができる。
【００７４】
従来、遮断部材４５が設けられた開口５４と開放した開口５４とがたとえ互いに隣接していたとしても回転体５３が一方向にのみ回転可能である場合には、前記視軸Ｐ上に配置された遮断部材４５を開放した開口５４に交換するとき又はその逆のとき、開放した開口５４又は遮断部材４５を前記視軸Ｐ上に配置するために回転体５３をほぼ一回転させる必要がある。このため、視線遮断手段の作動時間が長くなり、被検眼１３の検査に費やされる時間が長くなってしまう。
【００７５】
これに対し、図７に示す例によれば、前記したように、回転体５３には、開放した開口５４と遮断部材４５が設けられた開口５４とが交互に形成されていることから、回転体５３が一方向にのみ回転可能である場合でも、前記視軸Ｐ上に配置された遮断部材４５を開放した開口５４に交換するとき又はその逆のとき、開放した開口５４又は遮断部材４５を前記視軸Ｐ上に配置するために回転体５３をほぼ一回転させる必要はなく、開放した開口５４及び遮断部材４５間の回転角度で回転させればよい。これにより、開放した開口５４及び遮断部材４５間の相互の交換のために回転体５３をほぼ一回転させることによる視線遮断手段の作動時間の延長が防止されるので、視線遮断手段の作業時間の延長による被検眼１３の検査時間の延長を確実に防止することができる。
【００７６】
また、本実施例では、視線遮断手段が、回転ディスク３５と該回転ディスクに設けられた遮断部材４５とで構成された例を示したが、これに代えて、各フォロプタ２１，２２のハウジング２３，２４に形成された検眼窓２５を開閉する板状部材５５で視線遮断手段を構成することができる。
【００７７】
この場合、図８に示すように、板状部材５５を、各フォロプタ２１，２２のハウジング２３，２４の後方壁２３ｂ，２４ｂにその横方向に沿って配置された枢軸５６を介して、後方壁２３ｂ，２４ｂに形成された検眼窓２５を閉鎖する閉鎖位置（図８（ａ）に示す位置である。）と該検眼窓を開放する開放位置（図８（ｂ）に示す位置である。）との間で回動可能に設けることができる。板状部材５５は、例えば各フォロプタ２１，２２に設けられた図示しない駆動機構の作動により枢軸５６の周りに回動する。
【００７８】
図８に示す例では、ＣＰＵ４６は、前記視軸Ｐ上に既に配置されたレンズ３２ａにその回転盤２７〜３０の回転方向側と反対方向側で隣り合ったレンズ３２ｃが回転盤２７〜３０の回転により前記視軸Ｐ上に配置される前又は配置されると同時に板状部材５５が閉鎖位置におかれるように前記駆動機構を作動させ、また、前記視軸Ｐ上に既に配置されたレンズ３２ａに代わる新たなレンズ３２ｂに回転盤２７〜３０の回転方向で隣接したレンズ３２ｄが前記視軸Ｐ上から除去されると同時に又は除去された後に板状部材５５が開放位置におかれるように前記駆動機構を作動させる。これにより、各回転盤２７〜３０の回転時に前記視軸Ｐ上を通過する各レンズ３２を通しての被検眼１３による視標１１の視認を確実に妨げることができる。
【００７９】
図８に示す例に代えて、図９（ａ）及び図９（ｂ）に示すように、各フォロプタ２１，２２のハウジング２３，２４の後方壁２３ｂ，２４ｂにその横方向に沿って伸び且つ上下方向に互いに間隔をおいて配置された複数の枢軸５７を介して回動可能に設けられた複数の板状部材５８で視線遮断手段を構成することができる。
【００８０】
また、図８及び図９に示す例に代えて、図１０に示すように、板状部材５９を、各フォロプタ２１，２２の後方壁２３ｂ，２４ｂの外方で該後方壁にほぼ平行になるように配置し、後方壁２３ｂ，２４ｂに形成された検眼窓２５を閉鎖する閉鎖位置（図１０（ａ）に示す位置である。）と該検眼窓を開放する開放位置（図１０（ｂ）に示す位置である。）との間で後方壁２３ｂ，２４ｂに沿って上下方向に移動可能に設けることができる。板状部材５９は、例えば各フォロプタ２１，２２に設けられた図示しない駆動機構の作動により上下方向に移動する。
【００８１】
図１０に示す例では、ＣＰＵ４６は、前記視軸Ｐ上に既に配置されたレンズ３２ａにその回転盤２７〜３０の回転方向側と反対方向側で隣り合ったレンズ３２ｃが回転盤２７〜３０の回転により前記視軸Ｐ上に配置される前又は配置されると同時に板状部材５９が閉鎖位置におかれるように前記駆動機構を作動させ、また、前記視軸Ｐ上に既に配置されたレンズ３２に代わる新たなレンズ３２に回転盤２７〜３０の回転方向で隣接したレンズ３２ｄが前記視軸Ｐ上から除去されると同時に又は除去された後に板状部材５９が開放位置におかれるように前記駆動機構を作動させる。これにより、各回転盤２７〜３０の回転時に前記視軸Ｐ上を通過する各レンズ３２を通しての被検眼１３による視標１１の視認を確実に妨げることができる。
【００８２】
更に、本実施例では、視線遮断手段が、回転ディスク３５と該回転ディスクに設けられた遮断部材４５とで構成された例を示したが、これに代えて、検眼窓２５内に配置された図示しない液晶パネルで視線遮断手段を構成することができる。
【００８３】
この場合、液晶パネルは、各フォロプタ２１，２２のハウジング２３，２４の前方壁２３ａ，２４ａに形成された検眼窓２５内に配置し、図示しない作動装置の作動により表示状態と非表示状態とを切り替えることができる。
【００８４】
また、この場合、新たなレンズ３２ａが前記視軸Ｐ上に配置された状態では液晶パネルを非表示状態におくように前記作動装置を作動させ、各レンズ３２を前記視軸Ｐ上に配置する動作の開始からその終了までの間に、被検眼１３による視標１１の視認を妨げるべく液晶パネルを表示状態におくように、前記作動装置をＣＰＵ４６により作動させることができる。これにより、各回転盤２７〜３０の回転時に前記視軸Ｐ上を通過する各レンズ３２を通しての被検眼１３による視標１１の視認を確実に妨げることができる。
【００８５】
また、本実施例では、視線遮断手段が、回転ディスク３５と該回転ディスクに設けられた遮断部材４５とで構成された例を示したが、これに代えて、各フォロプタ２１，２２のハウジング２３，２４に形成された検眼窓２５の開放領域を狭めるべく該検眼窓をその周囲から絞り込むように動作する図示しない絞り部材で視線遮断手段を構成することができる。
【００８６】
この場合、絞り部材を、各フォロプタ２１，２２のハウジング２３，２４の後方壁２３ｂ，２４ｂに設け、例えばカメラのような撮像装置に設けられた従来よく知られた絞り部材で構成することができ、絞り部材の絞り度合いを図示しない作動装置の作動により調節することができる。
【００８７】
また、この場合、前記視軸Ｐ上に既に配置されたレンズ３２ａにその回転盤２７〜３０の回転方向側と反対方向側で隣り合ったレンズ３２ｃが回転盤２７〜３０の回転により前記視軸Ｐ上に配置される前又は配置されると同時に絞り部材の絞り度合いが検眼窓２５の開放領域を最小とする絞り度合いとなるように、前記作動装置をＣＰＵ４６により作動させ、また、前記視軸Ｐ上に既に配置されたレンズ３２ａに代わる新たなレンズ３２ｂに回転盤２７〜３０の回転方向で隣接したレンズ３２ｄが前記視軸Ｐ上から除去されると同時に又は除去された後に絞り部材の絞り度合いが検眼窓２５の開放領域を最大とする絞り度合いとなるように、前記作動装置をＣＰＵ４６により作動させることができる。これにより、各回転盤２７〜３０の回転時に前記視軸Ｐ上を通過する各レンズ３２を通しての被検眼１３による視標１１の視認を確実に妨げることができる。
【００８８】
上記した各実施例では、板状部材５５，５８，５９、液晶パネル及び絞り部材がそれぞれ各フォロプタ２１，２２のハウジング２３，２４の後方壁２３ｂ，２４ｂに設けられた例を示したが、これに代えて、それらを各フォロプタ２１，２２のハウジング２３，２４の前方壁２３ａ，２４ａに設けることができる。
【００８９】
更に、本実施例では、ＣＰＵ４６が視線遮断手段の作動を制御する制御手段としての役割を担う例を示したが、これに代えて、視線遮断手段の作動を制御するための制御手段をＣＰＵ４６とは別に設けることができる。
【図面の簡単な説明】
【００９０】
【図１】本発明に係る自覚式検眼装置を概略的に示す斜視図である。
【図２】本発明に係る矯正装置を概略的に示す横断面図である。
【図３】本発明に係る回転盤を概略的に示す平面図である。
【図４】本発明に係る回転ディスクを概略的に示す平面図である。
【図５】本発明に係る自覚式検眼装置を概略的に示すブロック図である。
【図６】本発明に係るコントローラを概略的に示す平面図である。
【図７】本発明に係る視線遮断手段の他の実施例を概略的に示す説明図である。
【図８】（ａ）及び（ｂ）は、それぞれ本発明に係る視線遮断手段の他の実施例を概略的に示す説明図である。
【図９】（ａ）及び（ｂ）は、それぞれ本発明に係る視線遮断手段の他の実施例を概略的に示す説明図である。
【図１０】（ａ）及び（ｂ）は、それぞれ本発明に係る視線遮断手段の他の実施例を概略的に示す説明図である。
【符号の説明】
【００９１】
１０  自覚式検眼装置
１１  視標
１３  被検眼
１４  視標呈示装置
１５  光学素子配置装置（矯正装置）
２３，２４  ハウジング
２５  検眼窓
２７，２８，２９，３０  回転盤
３２  光学素子（レンズ）
３５、４５、５３、５５，５８，５９  視線遮断手段（回転ディスク、遮断部材、回転体、板状部材）
４６  制御手段（ＣＰＵ）
【図１】
2008036002.tif 000003
【図２】
2008036002.tif 000004
【図３】
2008036002.tif 000005
【図４】
2008036002.tif 000006
【図５】
2008036002.tif 000007
【図６】
2008036002.tif 000008
【図７】
2008036002.tif 000009
【図８】
2008036002.tif 000010
【図９】
2008036002.tif 000011
【図１０】
2008036002.tif 000012